(57)【要約】【課題】高コントラストで高輝度のＰＤＰを実現する。【解決手段】少なくとも光遮蔽部となるブラックストライプ２５とブラックストライプ２５を覆う誘電体層２６とを形成した前面板２０と、少なくとも隔壁を形成した背面板とを対向配置して内部に隔壁により仕切られた放電空間を形成し、それぞれの放電空間には赤色、緑色、青色に発光する第１蛍光体層を備え、放電空間を形成する背面板の少なくとも一部を第１蛍光体層の発光色に着色するとともに、ブラックストライプ２５に対応する誘電体層２６の上に第１蛍光体層のうちの少なくとも一つと同色に発光する第２蛍光体層２８を設けている。【選択図】図２
2006351260.tif 000002
【特許請求の範囲】
【請求項１】
少なくとも光遮蔽部と前記光遮蔽部を覆う誘電体層とを形成した前面板と、少なくとも隔壁を形成した背面板とを対向配置して内部に前記隔壁により仕切られた放電空間を形成し、それぞれの前記放電空間には赤色、緑色、青色に発光する第１蛍光体層を備え、前記放電空間を形成する前記背面板の少なくとも一部を前記第１蛍光体層の発光色に着色するとともに、前記光遮蔽部に対応する前記誘電体層の上に前記第１蛍光体層のうちの少なくとも一つと同色に発光する第２蛍光体層を設けたことを特徴とするプラズマディスプレイパネル。
【請求項２】
青色に発光する第１蛍光体層を備えた前記放電空間を形成する前記背面板の少なくとも一部のみを青色に着色するとともに、前記光遮蔽部に対応する前記誘電体層の上に青色に発光する第２蛍光体層を設けたことを特徴とする請求項１に記載のプラズマディスプレイパネル。
【請求項３】
前記前面板は前記誘電体層を覆って誘電体保護膜を備え、前記第２蛍光体層を前記誘電体保護膜の上に設けたことを特徴とする請求項１または請求項２に記載のプラズマディスプレイパネル。
【請求項４】
それぞれの前記第１蛍光体層が発光色と同じ色に着色されていることを特徴とする請求項１から請求項３のいずれかに記載のプラズマディスプレイパネル。
【請求項５】
前記第１蛍光体層が発光色と同じ色の顔料を有することを特徴とする請求項４に記載のプラズマディスプレイパネル。
【請求項６】
前記第１蛍光体層の蛍光体が発光色と同じ色を有することを特徴とする請求項４に記載のプラズマディスプレイパネル。
【請求項７】
前記第１蛍光体層の放電空間側と反対側に反射層を備え、前記反射層が前記第１蛍光体層の発光色と同じ色に着色されていることを特徴とする請求項１または請求項２に記載のプラズマディスプレイパネル。
【請求項８】
前記隔壁が前記第１蛍光体層の発光色と同じ色を有することを特徴とする請求項１または請求項２に記載のプラズマディスプレイパネル。
【請求項９】
前記前面板は透明電極と前記透明電極上に形成されたバス電極よりなる複数の表示電極対を備えるとともに、前記表示電極対の間にブラックストライプを備え、前記光遮蔽部が前記ブラックストライプと前記バス電極のうちの少なくとも一つであることを特徴とする請求項１から請求項８のいずれかに記載のプラズマディスプレイパネル。
【請求項１０】
前記第２蛍光体層を前記誘電体層上に設け、前記第１蛍光体層と異なる発光色の前記第２蛍光体層を覆ってＭｇＯ誘電体保護膜を設けたことを特徴とする請求項１から請求項９のいずれかに記載のプラズマディスプレイパネル。
【請求項１１】
前記隔壁を列方向または行方向の少なくとも一つの方向に形成し、前記第２蛍光体層を前記隔壁が前記前面板と接触しない領域に形成したことを特徴とする請求項１から請求項１０のいずれかに記載のプラズマディスプレイパネル。
【発明の詳細な説明】
【技術分野】
【０００１】
本発明は表示デバイスとして知られているプラズマディスプレイパネルに関するものである。
【背景技術】
【０００２】
近年、双方向情報端末として大画面、壁掛けテレビへの期待が高まっており、そのための表示デバイスとして、液晶表示パネル、フィールドエミッションディスプレイ、エレクトロルミネッセンスディスプレイなどの数多くのものがある。これらの表示デバイスの中でもプラズマディスプレイパネル（以下、ＰＤＰと呼ぶ）は、自発光型で美しい画像表示ができて大画面化が容易であるなどの理由から、視認性に優れた薄型表示デバイスとして注目されており、高精細化および大画面化に向けた開発が進められている。
【０００３】
ＰＤＰには、大別して、駆動方式としてＡＣ型とＤＣ型があり、放電形式では面放電型と対向放電型の２種類があるが、高精細化、大画面化および製造の簡便性から現状ではＡＣ型で面放電型のＰＤＰが主流を占めるようになってきている。
【０００４】
ＰＤＰは、電極、誘電体層、隔壁、蛍光体層、ＭｇＯによる保護層などの構成物をそれぞれ形成した前面板と背面板とを、内部に微小な空間（内部空間）を形成するように対向配置するとともに周囲を封着部材により封止している。内部空間にネオンおよびキセノンなどを混合してなる放電ガスを例えば６６５００Ｐａ（約５００Ｔｏｒｒ）程度の圧力で封入することにより構成したものである（例えば、非特許文献１参照）。
【０００５】
画像表示装置の画像評価の項目としてコントラストがあり、明所コントラストと暗所コントラストで評価される。ここで、明所コントラストとは外光のパネルでの反射と発光との比で決定される。そのため、いかに外光反射を抑えるかがポイントとなる。特にパネル内部での反射が重要であり、例えば赤の蛍光体を赤に着色し、外光からの赤以外の緑や青を１００％吸収させ、赤自体は１００％透過および反射する場合は、この一色のみにおいても最大でコントラストが３０％近く向上するポテンシャルを有する。
【０００６】
そのため、従来のＰＤＰにおいて蛍光体に顔料を混ぜる手法や、蛍光体自体を着色する方法が開示されている（例えば、特許文献１、２など）。また、蛍光体の下に顔料により着色した反射層を形成する方法も開示されている（例えば、特許文献３など）。
【非特許文献１】内池平樹、御子柴茂生共著、「プラズマディスプレイのすべて」（株）工業調査会、１９９７年５月１日、ｐ７９−ｐ８０
【特許文献１】特開平１１−４５２３２号公報
【特許文献２】特開平１１−２２８９５２号公報
【特許文献３】特開２００３−３１７６３６号公報
【発明の開示】
【発明が解決しようとする課題】
【０００７】
ＰＤＰのさらなる高効率化、高画質化を達成するためには、コントラストの改善が不可欠である。コントラスト改善のために蛍光体層を着色したり、各放電セルを着色する方法が知られている。しかし、蛍光体層に顔料を混ぜて蛍光体層を着色する方法では、顔料自体がＰＤＰの放電セル内の放電で発生した紫外線を吸収するため、顔料の添加量が増大するに伴い輝度が低下するといった課題が発生する。また、蛍光体層の蛍光体自体を着色する場合には、蛍光体自体への着色成分の導入によって発光ポイントが減少し輝度が低下するといった課題が発生する。蛍光体層の下に顔料により着色した反射層を形成する手法においても顔料が必要な色を１００％反射することができないために輝度が低下するといった課題が発生する。
【０００８】
本発明はこれらの課題を解決し、高コントラストで高輝度のＰＤＰを実現することを目的とする。
【課題を解決するための手段】
【０００９】
上記目的を実現するために、本発明のＰＤＰは、少なくとも光遮蔽部と光遮蔽部を覆う誘電体層とを形成した前面板と、少なくとも隔壁を形成した背面板とを対向配置して内部に隔壁により仕切られた放電空間を形成し、それぞれの放電空間には赤色、緑色、青色に発光する第１蛍光体層を備え、放電空間を形成する背面板の少なくとも一部を第１蛍光体層の発光色に着色するとともに、光遮蔽部に対応する誘電体層の上に第１蛍光体層のうちの少なくとも一つと同色に発光する第２蛍光体層を設けている。
【００１０】
このような構成により、第１蛍光体層と同色に発光する第２蛍光体層では、蛍光体面積が増えて紫外線利用効率を向上させ、第１蛍光体層と異なる発光色の第２蛍光体層は反射層として作用して発光の取り出し効率を向上させるとともに、第２蛍光体層が着色されているために混色を防止し、高コントラストで高輝度のＰＤＰを実現することができる。
【００１１】
さらに、青色に発光する第１蛍光体層を備えた放電空間を形成する背面板の少なくとも一部のみを青色に着色するとともに、光遮蔽部に対応する誘電体層の上に青色に発光する第２蛍光体層を設けることが望ましい。このような構成によれば、赤色、緑色の蛍光体に比較して輝度の低い青色蛍光体の輝度を向上させることができる。
【００１２】
さらに、前面板は誘電体層を覆って誘電体保護膜を備え、第２蛍光体層を誘電体保護膜の上に設けることが望ましい。このような構成によれば、紫外線が誘電体保護膜によって吸収されることを抑制して、前面板に設けた第２蛍光体層での紫外線による発光を積極的に利用することができる。
【００１３】
さらに、それぞれの第１蛍光体層が発光色と同じ色に着色されていることが望ましく、前面板の第２蛍光体層からの発光を吸収して混色を抑制することができる。
【００１４】
さらに、第１蛍光体層が発光色と同じ色の顔料を有してもよく、第１蛍光体層を容易に着色することができる。
【００１５】
さらに、第１蛍光体層の蛍光体自体が発光色と同じ色を有してもよく、第１蛍光体層を容易に着色することができる。
【００１６】
さらに、第１蛍光体層の放電空間側と反対側に反射層を備え、反射層が第１蛍光体層の発光色と同じ色に着色されていてもよく、蛍光体自体に影響を与えずに放電空間を構成する背面板の構成要素を着色することができる。
【００１７】
さらに、隔壁が第１蛍光体層の発光色と同じ色を有してもよく、蛍光体自体に影響を与えずに放電空間を構成する背面板の構成要素を着色することができる。
【００１８】
さらに、前面板は透明電極と透明電極上に形成されたバス電極よりなる複数の表示電極対を備えるとともに、表示電極対の間にブラックストライプを備え、光遮蔽部がブラックストライプとバス電極のうちの少なくとも一つであってもよい。このような構成によれば、バス電極に対応して第２蛍光体層を設け、第２蛍光体層による紫外線の利用効率と発光の取り出し効率をさらに向上させることができる。
【００１９】
さらに、第２蛍光体層を誘電体層上に設け、第１蛍光体層と異なる発光色の第２蛍光体層を覆ってＭｇＯ誘電体保護膜を設けることが望ましく、異なる発光色の第２蛍光体層からの発光を抑制して混色を抑制し、反射層としての効果を高めることでＰＤＰの輝度を向上させることができる。
【００２０】
さらに、隔壁を列方向または行方向の少なくとも一つの方向に形成し、第２蛍光体層を隔壁が前面板と接触しない領域に形成することが望ましく、隣接する放電セル間の放電のクロストークを抑制するとともに、さらに高輝度のＰＤＰを実現することができる。
【発明の効果】
【００２１】
本発明のＰＤＰによれば、ＰＤＰのコントラストと輝度を同時に向上することができ、もって高画質なＰＤＰを実現することができる。
【発明を実施するための最良の形態】
【００２２】
以下、本発明の実施の形態におけるＰＤＰについて図面を用いて説明する。
【００２３】
（第１の実施の形態）
図１は、本発明の第１の実施の形態におけるＰＤＰの概略構成を示す断面斜視図である。図１に示すように、ＰＤＰ１０は、前面板２０と背面板３０とから構成されている。前面板２０は、フロート法による硼珪素ナトリウム系ガラスなどの前面ガラス基板２１上に、走査電極２２と維持電極２３とで対をなすストライプ状の複数の表示電極対２４が形成されている。また、隣接する表示電極対２４の間には、光遮蔽部となるブラックストライプ２５が形成されている。表示電極対２４とブラックストライプ２５とを覆って誘電体層２６を設け、さらに誘電体層２６を覆って酸化マグネシウム（ＭｇＯ）からなる誘電体保護膜２７が形成されている。図２は図１に示す前面板２０の構成を示す断面図であり、走査電極２２および維持電極２３は、それぞれ透明電極２２ａ、２３ａ、およびこの透明電極２２ａ、２３ａに電気的に接続されたＣｒ／Ｃｕ／ＣｒまたはＡｇなどからなるバス電極２２ｂ、２３ｂとから構成されている。バス電極２２ｂ、２３ｂもブラックストライプ２５と同様に光遮蔽部を構成している。
【００２４】
図１に示すように、背面板３０は、前面ガラス基板２１に対向配置される背面ガラス基板３１に、前面板２０の表示電極対２４と直交する方向に形成したアドレス電極３２と、そのアドレス電極３２を覆って下地誘電体層３３が設けられている。下地誘電体層３３上には、例えばストライプ状の隔壁３４が設けられ、隔壁３４の側面と下地誘電体層３３の表面に第１蛍光体層となる蛍光体層３５が設けられている。蛍光体層３５は隣接する隔壁３４によって仕切られた放電空間４０に、それぞれ赤色に発光する赤色蛍光体層３５Ｒ、緑色に発光する緑色蛍光体層３５Ｇ、青色に発光する青色蛍光体層３５Ｂが順に形成されている。また、各色に発光する蛍光体層３５が設けられた放電空間４０のうちの、少なくとも一つの色の放電空間４０において、その放電空間４０を形成する背面板３０の構成要素、すなわち蛍光体層３５や隔壁３４などがそれぞれの蛍光体層３５が発光する色に着色されている。例えば、蛍光体を着色して、赤色蛍光体層３５Ｒを赤色に着色し、緑色蛍光体層３５Ｇを緑色に着色し、さらに、青色蛍光体層３５Ｂを青色に着色している。また、蛍光体層の蛍光体に顔料を混ぜて着色してもよいし、蛍光体層３５の下部に反射層（図示せず）を設け、反射層が着色するようにしてもよい。また、それぞれの蛍光体層３５の下部の隔壁３４の表面や、下地誘電体層３３を着色してもよい。
【００２５】
前面板２０に設けたブラックストライプ２５とバス電極２２ｂ、２３ｂとは、背面板３０の蛍光体層３５からの発光が遮蔽されるため、輝度や効率の低下の原因となっている。しかしながら、バス電極２２ｂ、２３ｂの金属部分は電極の抵抗を下げる目的から取り除くことはできず、また非常に重要なコントラストの関係からブラックストライプ２５も必須である。
【００２６】
また、本発明の実施の形態では、図２に示すように、光遮蔽部であるブラックストライプ２５に対応する誘電体層２６の上面には、第１蛍光体層としての赤色蛍光体層３５Ｒ、緑色蛍光体層３５Ｇ、青色蛍光体層３５Ｂのうちの少なくとも一つと同色に発光する第２蛍光体層２８を設けている。すなわち、ＰＤＰ１０を前面板２０側からみた場合に、ブラックストライプ２５によって黒色の帯が形成されているが、ブラックストライプ２５の領域を覆うようにその下部に反射層になる第２蛍光体層２８が設けられている。
【００２７】
前面板２０と背面板３０とを、表示電極対２４とアドレス電極３２とが直交し、内部に微小な放電空間４０を形成するように隔壁３４を挟んで対向配置するとともに、周囲を封着部材により封止している。放電空間４０にはネオンおよびキセノンなどを混合した放電ガスを６６５００Ｐａ（５００Ｔｏｒｒ）程度の圧力で封入している。アドレス電極３２、表示電極対２４に印加する周期的な電圧によって放電を発生させ、この放電による紫外線を蛍光体層３５に照射して可視光に変換させることにより画像表示を行っている。
【００２８】
図３は、本発明の第１の実施の形態におけるＰＤＰ１０の画像表示部の構成を示す平面図であり、前面板２０側からの平面図である。図３に示すように、走査電極２２と維持電極２３は、マトリクス表示の各ラインにおいて放電ギャップ５０を挟んで隣接するように列方向に交互に配列されている。ここで、ＰＤＰ１０の内部空間の、隔壁３４によって区画され表示電極対２４とアドレス電極３２とが直交する部分に、単位発光領域である放電セル５１を形成する。また、隣接する表示電極対２４の非発光領域５２には、コントラストを向上させる目的のブラックストライプ２５が形成され、このブラックストライプ２５に対応する誘電体保護膜２７の上に、第２蛍光体層２８が形成されている。
【００２９】
前述したように、画像表示特性としてのコントラストのうち、明所コントラストは外光のＰＤＰでの反射と発光との比で決定され、外光反射をいかに抑えるかがポイントとなる。
【００３０】
本発明の第１の実施の形態では、各色に発光する蛍光体層３５が設けられた放電空間４０のうちの少なくとも一つの色の放電空間４０において、その放電空間４０を形成する背面板３０の構成要素、すなわち蛍光体層３５や隔壁３４などがそれぞれの蛍光体層３５が発光する色に着色されている。さらに、光遮蔽部であるブラックストライプ２５に対応する誘電体層２６の上面には、第１蛍光体層としての赤色蛍光体層３５Ｒ、緑色蛍光体層３５Ｇ、青色蛍光体層３５Ｂのうちの少なくとも一つと同色に発光する第２蛍光体層２８を設けている。このような構成とすることで、高いコントラストと高い輝度を両立させることができる。
【００３１】
このような構成において高いコントラストと高い輝度を両立させることができる理由は以下の通りであり、ポイントは赤色、緑色、青色のうちの一つの蛍光体を前面板２０に形成しても混色を防ぐことができるとともに輝度低下を補う働きをすることができるということである。前述したように、放電空間４０側を着色すると、紫外線が吸収されることや反射率が低下することで輝度が低下する課題が生じるが、背面板３０からの発光を遮蔽する領域である前面板２０のブラックストライプ２５の放電空間４０側に第２蛍光体層２８を形成することによって、放電で発生する紫外線の利用効率を各放電セル５１内部の蛍光体面積を増大させることで増加させることができる。
【００３２】
例えば、蛍光体のうちの輝度が出にくい青色蛍光体について、青色蛍光体層を前面板２０の光遮蔽部であるブラックストライプ２５領域に設けた場合について述べる。図２、図３において、背面板３０に形成された赤色蛍光体層３５Ｒ、緑色蛍光体層３５Ｇ、青色蛍光体層３５Ｂは各色蛍光体が発光する発光色に着色され、前面板２０のブラックストライプ２５の下部に青色に発光する第２蛍光体層２８としての青色蛍光体層が設けられた場合について考える。
【００３３】
赤色蛍光体層３５Ｒ、緑色蛍光体層３５Ｇ、青色蛍光体層３５Ｂが着色されているため、仮に赤色蛍光体層３５Ｒの放電セル５１で前面板２０の第２蛍光体層２８の青色蛍光体が発光したとしても、青色は赤色の蛍光体の顔料で吸収されて混色が緩和される。すなわち、蛍光体層を赤色に着色すると、その着色層では赤色以外の青色、緑色の波長の光は吸収されて反射されずに赤色のみの光が反射される。そのため、仮に赤色蛍光体層３５Ｒの放電セル５１において、前面板２０の青色蛍光体からの発光が発生したとしても、着色された蛍光体層３５に反射してから発光として取り出されるため、青色の波長の発光が赤色に着色されたセルから外部に放出されることを抑制することができる。
【００３４】
また、前面板２０に設けた第２蛍光体層２８の蛍光体は白色の粉末であり、１以上の屈折率を有するために反射膜となる。したがって、赤色蛍光体層３５Ｒで発光した発光は、前面板２０に設けた着色されていない白色の青色蛍光体層である第２蛍光体層２８によって反射されるために、発光の取り出し効率が向上し輝度が向上する。すなわち、赤色の放電セルにおいては前面板２０に設けた第２蛍光体層２８による蛍光体面積の増加による利用効率の向上は望めないが、前面板２０の第２蛍光体層２８による反射効果によって取り出し効率が向上する。反射膜の効果は、実際のＰＤＰにおいても蛍光体の膜厚を５、１０、１５μｍと増加させると反射率が増加して輝度が増加することが知られている。
【００３５】
したがって、例えば、前面板２０に緑色の蛍光体を用いた第２蛍光体層２８を形成した場合には、緑色の放電セルでは紫外線の利用効率の向上と、発光の反射による取り出し効率の向上とによって輝度を向上させることができる。また、赤色と青色の放電セルでは混色の抑制と同時に、第２蛍光体層２８の発光の反射による取り出し効率の向上で輝度を向上することができる。
【００３６】
また、本発明の形態において、背面板３０の放電空間４０を着色する方法としては、赤色蛍光体層３５Ｒ、緑色蛍光体層３５Ｇ、青色蛍光体層３５Ｂが顔料を有してもよいし、蛍光体自体が色を有してもよい。さらに、赤色蛍光体層３５Ｒ、緑色蛍光体層３５Ｇ、青色蛍光体層３５Ｂの放電空間４０側と反対側に反射層を備えて、その反射層が着色された反射層であってもよい。また、放電空間４０を形成する隔壁３４や下地誘電体層３３が着色されていてもよい。
【００３７】
（第２の実施の形態）
図４は本発明の第２の実施の形態におけるＰＤＰの画像表示部の構成を示す平面図であり、前面板側からの平面図である。また、図５は、図４における前面板のＢ−Ｂ線断面を示す断面図であり、同じく図６はＣ−Ｃ線断面を示す断面図である。ＰＤＰの構成は第１の実施の形態と同様であり、図４、図５、図６に示すように、第２蛍光体層６０を前面板２０のブラックストライプ２５のうちの特定の色に対応する領域にのみに形成している。
【００３８】
本発明の実施の形態では、第２蛍光体層６０を放電空間に青色蛍光体層３５Ｂが形成された放電セルに対応する領域のみに設け、蛍光体のうち他の蛍光体に比べて輝度が低い青色蛍光体層３５Ｂの輝度を向上させることを目的としている。したがって、青色蛍光体層３５Ｂが形成された放電空間の構成要素のみが青色に着色されて、第２蛍光体層６０として白色の青色蛍光体層が形成されている。
【００３９】
このような構成によれば、青色蛍光体層３５Ｂにおいて第１の実施の形態で述べたように、利用効率と取り出し効率とを向上させて輝度を高めることが可能となる。したがって、各色の隔壁ピッチを同一にすることができるなど、ＰＤＰの製造を容易にすることができる。
【００４０】
（第３の実施の形態）
図７は本発明の第３の実施の形態におけるＰＤＰの画像表示部の構成を示す平面図であり、前面板側からの平面図である。ＰＤＰの構成は第１の実施の形態と同様であるが、第２蛍光体層６１、６２、６３をそれぞれ各色蛍光体層の蛍光体により形成している。
【００４１】
すなわち、背面板の放電空間側の赤色蛍光体層３５Ｒ、緑色蛍光体層３５Ｇ、青色蛍光体層３５Ｂがそれぞれの発光色に着色されている。さらに、それぞれの放電空間に対応して、白色の蛍光体によって構成された赤色に発光する第２蛍光体層６１、緑色に発光する第２蛍光体層６２、青色に発光する第２蛍光体層６３が前面板２０のブラックストライプ２５に対応する領域に形成されている。
【００４２】
このような構成によれば、第１の実施の形態や第２の実施の形態で述べたのと同様の作用により、各色の利用効率と取り出し効率とを向上させてＰＤＰの全体の輝度を向上させることができる。
【００４３】
（第４の実施の形態）
図８は本発明の第４の実施の形態におけるＰＤＰの前面板の構成を示す断面図であり、表示電極対に直交した断面図である。ＰＤＰの構成は第１の実施の形態と同様であるが、前面板の光遮蔽部となるバス電極に対応する領域にも第２蛍光体層を設けている。
【００４４】
すなわち、図８に示すように、透明電極２２ａ、２３ａ上に形成されたバス電極２２ｂ、２３ｂもブラックストライプ２５と同様に光遮蔽部となる。そこで、本発明の実施の形態では、バス電極２２ｂ、２３ｂに対応する誘電体保護膜２７上に、ブラックストライプ２５に対応する誘電体保護膜２７上に設けた第２蛍光体層７０と同じ第２蛍光体層７１を設けている。また、これらの第２蛍光体層７０、７１は第１の実施の形態で述べたのと同様の白色の蛍光体層であり、赤色蛍光体層３５Ｒ、緑色蛍光体層３５Ｇ、青色蛍光体層３５Ｂのうちの一つの蛍光体である。さらに、背面板３０の赤色蛍光体層３５Ｒ、緑色蛍光体層３５Ｇ、青色蛍光体層３５Ｂは顔料などにより着色されている。
【００４５】
このような構成によれば、光遮光部となるバス電極２２ｂ、２３ｂにも第２蛍光体層７１を設けることにより、反射効果を高め、発光の取り出し効果を高めさらなる輝度向上を実現することができる。
【００４６】
図９は、本発明の第４の実施の形態におけるＰＤＰの他の実施例を示す前面板の断面図である。図９においては、ブラックストライプ２５とバス電極２２ｂ、２３ｂとを共用の材料を用いて形成した場合について示している。図９に示すように、ブラックストライプ２５とバス電極２２ｂ、２３ｂのうちの黒色層７２とを同一の材料で構成し、隣接する走査電極２２、維持電極２３とブラックストライプ２５との間に間隙がない場合には、第２蛍光体層７３を隣接するバス電極２２ｂとバス電極２３ｂとに渡って形成することができる。
【００４７】
したがって、輝度を高める効果に加え、第２蛍光体層７３の前面板２０への形成を容易に実現できる。
【００４８】
（第５の実施の形態）
図１０は、本発明の第５の実施の形態におけるＰＤＰの背面板の構成を示す斜視図、図１１は同ＰＤＰのの画像表示部の構成を示す平面図、さらに、図１２は同ＰＤＰの図１１におけるＤ−Ｄ線断面図である。
【００４９】
図１０に示すように、本発明の実施の形態におけるＰＤＰの背面板８０は隔壁３４として、列方向隔壁３４ａと行方向隔壁３４ｂとで構成されて、放電空間が枡形に仕切られている。隣接する列方向隔壁３４ａで仕切られた放電空間には、それぞれ赤色蛍光体層３５Ｒ、緑色蛍光体層３５Ｇ、青色蛍光体層３５Ｂが形成されている。さらに、行方向隔壁３４ｂの高さを列方向隔壁３４ａよりも低くなるように構成している。また、それぞれの蛍光体層がそれぞれの発光色に着色されている。なお、図１２においては上記の蛍光体層３５は図示していない。
【００５０】
また、図１１、図１２に示すように前面板２０のブラックストライプ２５に対応し、背面板８０の行方向隔壁３４ｂ上に位置し、隣接する列方向隔壁３４ａ間の誘電体保護膜２７上には、白色の第２蛍光体層８１が形成されている。したがって、第２蛍光体層８１を列方向隔壁３４ａが前面板２０と接触しない領域に形成している。
【００５１】
本発明の第１の実施の形態で述べたように、図２に示すような第２蛍光体層２８では第２蛍光体層２８がかまぼこ状に盛り上がり、背面板３０の隔壁３４と接触するため、各放電セル間の行方向に第２蛍光体層２８の膜厚分の隙間ができて放電のクロストークが発生する。しかしながら、本発明の第５の実施の形態によれば、列方向と行方向の隣接する隣接する放電セル間のクロストークを抑制し、さらに前面板２０に蛍光体を付与することによって、より高輝度のＰＤＰを実現することができる。
【００５２】
なお、上記の説明では、前面板２０に設ける第２蛍光体層８１をそれぞれの各色蛍光体層に対応した蛍光体にすると、行方向隔壁３４ｂ上に設けた第２蛍光体層８１と放電との距離が近くなり、より高輝度を実現することが可能であり好適である。
【００５３】
なお、以上の実施の形態では第２蛍光体層をＭｇＯ誘電体保護膜上に形成しているが、その理由は、ＭｇＯ誘電体保護膜を形成するＭｇＯ（酸化マグネシウム）が紫外線を吸収するためであり、前面板に設けた第２蛍光体層での紫外線による発光を積極的に利用する目的のためには、第２蛍光体層をＭｇＯの誘電体保護膜上に形成することが望ましいからである。
【００５４】
（第６の実施の形態）
図１３は、本発明の第６の実施の形態におけるＰＤＰの前面板の構成を示す断面図である。第１の実施の形態から第５の実施の形態までは、前面板２０に設けた第２蛍光体層は、前面板２０のＭｇＯ誘電体保護膜２７上に形成していた。本発明の第６の実施の形態では、図１３に示すように、背面板の蛍光体層と同一発光色の第２蛍光体層９０を誘電体層２６上に設け、かつ、背面板側の蛍光体層と異なる発光色の第２蛍光体層９１の領域を覆ってＭｇＯ誘電体保護膜９２を設けている。すなわち、同色の発光をする第１蛍光体層の放電空間に対応する第２蛍光体層９０を放電空間に露出した構成とし、それ以外の第２蛍光体層９１はＭｇＯ誘電体保護膜９２で被覆した構成としている。
【００５５】
なお、ＭｇＯ誘電体保護膜９２は紫外線を吸収する。したがって、前面板２０に設けた第２蛍光体層のうちの第１蛍光体層と発光色が異なる第２蛍光体層９１を誘電体保護膜９２で覆うことによって、第２蛍光体層９１への紫外線照射を抑制し、その発光を抑制することができる。そのため、混色を、より抑制することができる。一方、誘電体保護膜９２に被覆されていない第２蛍光体層９０では紫外線による発光が促進されて紫外線利用効率を高めることができる。
【００５６】
なお、上述の蛍光体層や隔壁などを着色する顔料としては、以下のようなものが挙げられるがこれらに限るものではない。例えば、赤色としては酸化鉄や赤色カドミウムなどが挙げられる。また、緑色としてはＴｉ-Ｚｎ-Ｃｏ-Ｎｉ系、Ｃｏ-Ａｌ-Ｃｒ系の材料などが挙げられる。さらに、青色としてはＣｏ-Ａｌ系、Ｃｏ-Ａｌ-Ｃｒ系が挙げられる。また、ＰＤＰの製造においては６００℃前後の熱処理を行うため、無機顔料が好ましいが、これらに限るものではない。
【産業上の利用可能性】
【００５７】
以上のように、本発明のＰＤＰによると、高いコントラストと高い輝度を実現することが可能となり、大画面の画像表示装置として有用である。
【図面の簡単な説明】
【００５８】
【図１】本発明の第１の実施の形態におけるＰＤＰの概略構成を示す断面斜視図
【図２】同ＰＤＰの前面板の構成を示す断面図
【図３】同ＰＤＰの画像表示部の構成を示す平面図
【図４】本発明の第２の実施の形態におけるＰＤＰの画像表示部の構成を示す平面図
【図５】図４における前面板のＢ−Ｂ線断面図
【図６】図４における前面板のＣ−Ｃ線断面図
【図７】本発明の第３の実施の形態におけるＰＤＰの画像表示部の構成を示す平面図
【図８】本発明の第４の実施の形態におけるＰＤＰの前面板の構成を示す断面図
【図９】同ＰＤＰの前面板の他の実施例の構成を示す断面図
【図１０】本発明の第５の実施の形態におけるＰＤＰの背面板の構成を示す斜視図
【図１１】同ＰＤＰの画像表示部の構成を示す平面図
【図１２】図１１のＤ−Ｄ線断面図
【図１３】本発明の第６の実施の形態におけるＰＤＰの前面板の構成を示す断面図
【符号の説明】
【００５９】
１０    ＰＤＰ
２０    前面板
２１    前面ガラス基板
２２    走査電極
２２ａ，２３ａ    透明電極
２２ｂ，２３ｂ    バス電極
２３    維持電極
２４    表示電極対
２５    ブラックストライプ
２６    誘電体層
２７，９２    （ＭｇＯ）誘電体保護膜
２８，６０，６１，６２，６３，７０，７１，７３，８１、９０，９１    第２蛍光体層
３０，８０    背面板
３１    背面ガラス基板
３２    アドレス電極
３３    下地誘電体層
３４    隔壁
３４ａ    列方向隔壁
３４ｂ    行方向隔壁
３５    蛍光体層
３５Ｒ    赤色蛍光体層
３５Ｇ    緑色蛍光体層
３５Ｂ    青色蛍光体層
４０    放電空間
５０    放電ギャップ
５１    放電セル
５２    非発光領域
７２    黒色層
【図１】
2006351260.tif 000003
【図２】
2006351260.tif 000004
【図３】
2006351260.tif 000005
【図４】
2006351260.tif 000006
【図５】
2006351260.tif 000007
【図６】
2006351260.tif 000008
【図７】
2006351260.tif 000009
【図８】
2006351260.tif 000010
【図９】
2006351260.tif 000011
【図１０】
2006351260.tif 000012
【図１１】
2006351260.tif 000013
【図１２】
2006351260.tif 000014
【図１３】
2006351260.tif 000015